(57)【特許請求の範囲】
【請求項１】
容器の口部に取り外し可能にねじ付けられる装着筒と、該装着筒によって前記容器に装着されるポンプ機構とを備える容器用吐出器であって、
装着筒をポンプ機構の上端部材に回り止めし、当該上端部材に、工具を嵌める外観形状を有した嵌め合い部を設けるとともに、
装着筒に、嵌め合い部を残して装着筒及び上端部材を取り囲んで当該装着筒及び上端部材に対して回転可能なスリーブ部材を設けたことを特徴とする容器用吐出器。
【請求項２】
請求項１において、前記嵌め合い部に、工具を案内する張り出し部を設けたことを特徴とする容器用吐出器。
【請求項３】
請求項１又は２において、前記ポンプ機構は、装着筒の内側に配置されるとともに当該装着筒を保持するシリンダを備え、前記上端部材は、当該シリンダの一端の開口を閉じてポンプ要素の収納空間を形成するとともに装着筒の天壁を覆い、
前記上端部材と装着筒とにそれぞれ、前記上端部材を装着筒とともに一体に回転させるための回り止め部を設けるとともに、前記嵌め合い部を前記上端部材に設けたことを特徴とする容器用吐出器。
【請求項４】
請求項１又は２において、前記ポンプ機構は、装着筒の内側に配置されるとともに当該装着筒を保持するシリンダを備え、前記上端部材は、当該シリンダの一端の開口を閉じてポンプ要素の収納空間を形成するとともに装着筒の天壁を覆い、
前記上端部材と装着筒とを一体に形成するとともに、前記嵌め合い部を前記上端部材に設けたことを特徴とする容器用吐出器。
【発明の詳細な説明】
【技術分野】
【０００１】
本発明は、容器に対して取り外し可能にねじ付けられる容器用吐出器に関するものである。
【背景技術】
【０００２】
本願出願人は、従来の容器用吐出器として、店頭での陳列やホテル等の施設に据え置かれるときに、内容物が入れ替えられたり、抜き取られる等の悪戯を想定し、こうした不正使用を防止する対策としてラチェット機構を採用したものを提案済みである（例えば、特許文献１参照）。
【先行技術文献】
【特許文献】
【０００３】
【特許文献１】特願２００４−３４４８２２号公報
【発明の概要】
【発明が解決しようとする課題】
【０００４】
しかしながら、様々なニーズに応じて、新たな容器用吐出器を提案していくことが重要であることも事実である。
【０００５】
本発明の目的とするところは、不正使用による着脱が困難な安全性の高い新規な容器用吐出器を提供することにある。
【課題を解決するための手段】
【０００６】
本発明は、容器の口部に取り外し可能にねじ付けられる装着筒と、該装着筒によって前記容器に装着されるポンプ機構とを備える容器用吐出器であって、装着筒をポンプ機構の上端部材に回り止めし、当該上端部材に、工具を嵌める外観形状を有した嵌め合い部を設けるとともに、装着筒に、嵌め合い部を残して装着筒及び上端部材を取り囲んで当該装着筒及び上端部材に対して回転可能なスリーブ部材を設けたことを特徴とするものである。
【０００７】
本発明では、前記嵌め合い部に、工具を案内する張り出し部を設けることが好ましい。
【０００８】
本発明では、前記ポンプ機構は、装着筒の内側に配置されるとともに当該装着筒を保持するシリンダを備え、前記上端部材が、当該シリンダの一端の開口を閉じてポンプ要素の収納空間を形成するとともに装着筒の天壁を覆うものとした場合、
前記上端部材と装着筒とにそれぞれ、前記上端部材を装着筒とともに一体に回転させるための回り止め部を設けるとともに、前記嵌め合い部を前記上端部材に設けることができる。また、この場合、前記上端部材と装着筒とを一体に形成するとともに、前記嵌め合い部を前記上端部材に設けることもできる。
【発明の効果】
【０００９】
本発明では、装着筒にポンプ機構の上端部材を回り止めし、この上端部材に、工具を嵌める外観形状を有した嵌め合い部を設けるとともに、この嵌め合い部を残して装着筒の外側には、回転可能なスリーブ部材を設けたことで、嵌め合い部に適合する工具を持たない第三者は、装着筒を直接回転させることができない。これに対し、工具を所持する管理者は、上端部材に設けた嵌め合い部材を介して装着筒を容器に対して回転させることができる。
【００１０】
従って、本発明によれば、不正使用による着脱が困難な安全性の高い新規な容器用吐出器を提供することができる。
【図面の簡単な説明】
【００１１】
【図１】本発明である容器用吐出器の第１の実施形態であって、容器に装着した状態を一部断面で示す側面図である。
【図２】図１の要部拡大図である。
【図３】（ａ）は、図２のＡ−Ａ矢視図であって、同形態に係るポンプリング及び装着キャップを示し、（ｂ）は、同形態の取り付け又は取り外しを、工具を用いて行うときの操作方法をＡ−Ａ矢視方向から示す説明図である。
【図４】（ａ）は、本発明に従う嵌め合い部の変形例であって、同例に係るポンプリング及び装着キャップをＡ−Ａ矢視方向から示す図であり、（ｂ）は、同形態の取り付け又は取り外しを、工具を用いて行うときの操作方法をＡ−Ａ矢視方向から示す説明図である。
【図５】（ａ）は、本発明である容器用吐出器の他の実施形態であって、容器に装着した状態を一部断面で示す要部側面図であり、（ｂ）は、本発明である容器用吐出器の更に他の実施形態であって、容器に装着した状態を一部断面で示す要部側面図である。
【発明を実施するための形態】
【００１２】
以下、図面を参照して、本発明の様々な実施の形態を詳細に説明する。
【００１３】
図１中、符号１０は、本発明の第１の形態である容器用吐出器である。容器用吐出器（以下、「吐出器」）１０は、ユニット化されており、符号１１は、装着キャップ（装着筒）である。装着キャップ１１は、容器５０の口部５１を周方向に取り囲む周壁１１ａを有する。周壁１１ａは、ローレット等の凹凸を形成することなく、滑らかな表面で構成されている。周壁１１ａの内側には、ねじ部１１ｓが形成されている。これにより、装着キャップ１１は、口部５１に形成したねじ部５０ｓに対して取り外し可能にねじ付けられる。
【００１４】
符号Ｐは、装着キャップ１１の内側に配置されるポンプ機構である。ポンプ機構Ｐは、シリンダ１２を有する。シリンダ１２には、吸入パイプ１３が固定されている。シリンダ１２の内側には、吸入パイプ１３を通して容器５０から吸入された内容液を導入する吸入弁１４が配置されている。またシリンダ１２内には、スプリング等の弾性部材１５が配置されている。弾性部材１５は、ピストンガイド１６を弾支する。ピストンガイド１６は、シリンダ１２に上下動可能に配置されている。ピストンガイド１６は、シリンダ１２との間に流路Ｒ１を形成する。また、ピストンガイド１６には、ガイドシャフト１６ａが一体に設けられている。ガイドシャフト１６ａの側面には、貫通孔Ｒ２が形成されている。ガイドシャフト１６ａには、シリンダ１２とともに、ピストン１７が摺動可能に保持されている。加えて、ガイドシャフト１６ａには、ステム１８が結合されている。ステム１８の内側には、流路Ｒ２を介して流路Ｒ１に通じる流路Ｒ３が形成されている。流路Ｒ３は、図示のように、ピストン１７がピストンガイド１６に接触することよって閉じることができる。このため、ピストンガイド１６がピストン１７に対して下降すれば、流路Ｒ２を開いて流路Ｒ１を流路Ｒ３に通じさせることができる。
【００１５】
シリンダ１２の上端開口は、ポンプリング１９によって閉じられている。ポンプリング１９は、ポンプ機構Ｐの上端部材（リング部材）であって、その内側にステム１８を摺動可能に保持している。これにより、ポンプリング１９は、複数のポンプ要素の収納空間を形成する。また、ポンプリング１９を貫通するステム１８には、ノズルヘッド２０が固定されている。これにより、ポンプ機構Ｐが形成され、ヘッド２０ａの押し下げと復帰を繰り返せば、ノズル２０ｂから内容液を吐出させることができる。
【００１６】
ポンプリング１９は、図２に示すように、シリンダ１２の内周面に嵌合する内筒部１９ａを有する。内筒部１９ａは、上述のとおり、ステム１８を摺動可能に保持する。また、ポンプリング１９は、内筒部１９ａと同心円状に外筒部１９ｂを有する。内筒部１９ａと外筒部１９ｂとの間には、シリンダ１２の上端部１２ａが配置されている。上端部１２ａは、抜け止め部Ｃによってポンプリング１９の外筒部１９ｂに抜け止め保持されている。抜け止め部Ｃとしては、例えば、図示のように、上端部１２ａの外周面に形成された環状の凸（凹）と、外筒部１９ｂの内周面に形成された環状の凹（凸）とを上下方向から嵌合させた凹凸嵌合が挙げられる。また、シリンダ１２の上端部１２ａは、回り止め部Ｓ１によってポンプリング１９の内筒部１９ａに対して回り止めされている。回り止め部Ｓ１としては、例えば、図示のように、上端部１２ａの内周面に沿って周方向に形成した縦リブ（スプライン（溝））と、ポンプリング１９の内筒部１９ａの外周面に沿って周方向に形成した縦リブ（スプライン溝（スプライン））との噛み合いによるスプライン嵌合が挙げられる。これにより、シリンダ１２とポンプリング１９は、互いに軸線Ｏ周りを空転することなく、一体に結合される。
【００１７】
一方、シリンダ１２には、軸線Ｏ周りを周回する環状のフランジ１２ｂが一体に形成されている。また、本形態では、フランジ１２ｂには、パッキン等の環状のシール部材２４が設けられている。シール部材２４は、吐出器１０を容器口部５１に取り付けたとき、吐出器１０と容器口部５１との間を密封する。
【００１８】
また、フランジ１２ｂには、装着キャップ１１の天壁１１ｂが保持されている。天壁１１ｂには、軸線Ｏ周りを周回する筒状壁１１ｃが一体に起立している。筒状壁１１ｃは、回り止め部Ｓ２によってポンプリング１９の外筒部１９ｂに対して回り止めされている。回り止め部Ｓ２としては、例えば、図示のように、筒状壁１１ｃの内周面に沿って周方向に形成した縦リブ（スプライン（溝））と、外筒部１９ｂの外周面に沿って周方向に形成した縦リブ（スプライン溝（スプライン））との噛み合いによるスプライン嵌合が挙げられる。
【００１９】
ポンプリング１９には、工具を嵌める外観形状を有した嵌め合い部２１が設けられている。嵌め合い部２１は、多数の平面２１ａで構成された外観形状を有する。本形態では、図３（ａ）に示すように、６つの平面２１ａで構成された角柱状の外観形状を有する。これにより、図３（ｂ）に示すように、スパナ等の嵌め合い部２１の外観形状に合った工具Ｔ１を嵌めて軸線Ｏ周りに回せば、ポンプリング１９とともに装着キャップ１１を容器５０の口部５１にねじ付け、又は、緩めることができる。なお、図３（ａ），（ｂ）中、符号「２１ａ」をそれぞれ、例示的に一箇所又は二箇所のみ付記している。
【００２０】
加えて、装着キャップ１１には、フリーキャップとしてのスリーブ部材２２が設けられている。スリーブ部材２２は、装着キャップ１１及びポンプリング１９に対して回転可能に設けられている。本形態では、図２に示すように、スリーブ部材２２の内側には、内向きに形成された環状の内フランジ２２ａが一体に設けられている。内フランジ２２ａは、装着キャップ１１の天壁１１ｂに摺動可能に保持されている。これにより、スリーブ部材２２は、装着キャップ１１及びポンプリング１９に対して軸線Ｏ周りに回転させることができる。
【００２１】
スリーブ部材２２の上端２２ｂ側は、嵌め合い部２１を残して、ポンプリング１９を、装着キャップ１１とポンプリング１９との境界部分とともに隠している。また、スリーブ部材２２の下端２２ｃ側は、装着キャップ１１をその下端１１ｅとともに覆って、当該下端１１ｅを隠している。これにより、如何なる者も、装着キャップ１１を直接操作することができない。
【００２２】
上述のとおり、本形態では、装着キャップ１１にポンプ機構Ｐのポンプリング１９を回り止めし、このポンプリング１９に、工具Ｔ１を嵌める外観形状を有した嵌め合い部２１を設けるとともに、この嵌め合い部２１を残して装着キャップ１１の外側には、回転可能なスリーブ部材２２を設けたことで、嵌め合い部２１に適合する工具Ｔ１を持たない第三者は、装着キャップ１１を直接回転させることができない。
【００２３】
これに対し、工具Ｔ１を所持する管理者は、図３（ｂ）に示すように、嵌め合い部２１に工具Ｔ１を嵌め合わせることで、ポンプリング１９に対して回り止めされた装着キャップ１１は、ポンプリング１９とともに、軸線Ｏ周りを時計回り又は反時計回りに回転させることができる。これにより、装着キャップ１１が上昇すれば、その天壁１１ｂ及び筒状壁１１ｃがポンプリング１９を介してポンプ機構Ｐ全体を押し上げることで吐出器１０を容器５０から取り外すことができ、反対に下降すれば、吐出器１０を容器５０に取り付けることができる。従って、工具Ｔ１を所持する管理者は、ポンプリング１９に設けた嵌め合い部２１を介して、吐出器１０を容器５０に対してねじ付け、或いは、取り外すことができる。
【００２４】
このように、本形態によれば、不正使用による着脱が困難な安全性の高い新規な容器用吐出器を提供することができる。加えて、嵌め合い部２１をポンプリング１９の上端部として形成したことで、嵌め合い部２１は、ポンプリング１９の襟部として認識されるため、外観的にも違和感を与え難い。また、本形態では、嵌め合い部２１の形状がデザイン的な要素を含むため、一般の人には吐出器１０を着脱するための嵌め合い部であると気付かれ難い。なお、本形態では、嵌め合い部２１の形状を六角形状に形成したが、本発明に従えば、八角形状などを採用することができる。
【００２５】
ところで、嵌め合い部材２１は、工具Ｔ１を嵌めることができれば、その外観形状には、様々な形状を採用することができる。図４（ａ）は、本発明に従う嵌め合い部２１の変形例を示す。この嵌め合い部２１では、軸線Ｏ周りに複数の縦リブ２１ｂを設けている。この例では、図４（ｂ）に示すように、フック状の工具Ｔ２を用いて、その先端部Ｆを縦リブ２１ｂの相互間に形成された縦溝２１ｃに嵌合させることで、ポンプリング１９とともに、装着キャップ１１を軸線Ｏ周りに時計回り又は反時計回りに回転させることができる。この場合、特に、嵌め合い部２１には、デザイン的な特徴が見られるので、嵌め合い部がさらに認識され難い。なお、図４中、吐出器１０の着脱に要する縦リブ及び縦溝を示す符号「２１ｂ」及び「２１ｃ」は、例示的に一組のみ付記している。また、先端部Ｆは、少なくとも１つであればよい。更に、先端部Ｆは、本形態のように間欠的に設ける他、連続的に設けることもできる。
【００２６】
加えて、図５（ａ）は、他の実施形態を示す。なお、本形態は、図１−３に示す実施形態の変形例であり、実質的に同一の機能を発揮する部分は、同一符号をもって、その説明を省略する。本形態では、装着キャップ１１をポンプリング１９に回り止める手段として、固定部Ｓ２に替えて、装着キャップ１１をポンプリング１９とを一体に形成している。また、スリーブ部材２２の内フランジ２２ａは、変形及び復元が可能な弾性片として構成されている。
【００２７】
図５（ｂ）は、更に他の実施形態を示す。本形態も、図１−３に示す実施形態の変形例であり、実質的に同一の機能を発揮する部分は、同一符号をもって、その説明を省略する。本形態では、嵌め合い部２１に、工具Ｔ１を案内する張り出し部２３が一体に設けられている。張り出し部２３は、本形態のように、軸線Ｏ周りに間欠的に設ける他、軸線Ｏ周りに環状に設けることができる。この場合、張り出し部２３は、工具Ｔ１を嵌め合い部２１に案内するとともに、嵌合後の工具Ｔ１の抜けを防止できるので、吐出器１０の着脱を容易に行うことができる。
【００２８】
上述したところは、本発明の様々な実施形態であるが、本発明に従えば、様々な変更が可能となる。例えば、ポンプ機構Ｐは例示的なものであり、本形態に制限されることなく、様々な機構のものを採用することができる。容器用吐出器は、泡生成吐出器や噴霧吐出器とすることもできる。更に、各形態の各構成中に採用される要素は、適宜、転用等を行うことができる。
【産業上の利用可能性】
【００２９】
本発明は、容器の口部に取り外し可能にねじ付けられる装着筒と、装着筒を保持するポンプ機構とを備える容器用吐出器であれば、据え置きタイプの容器に限定されることなく、採用することができる。また、内容物についても、シャンプーやリンス、整髪料など、様々なものを採用することができる。
【符号の説明】
【００３０】
１０    容器用吐出器
１１    装着キャップ（装着筒）
１２    シリンダ
１３    吸入パイプ
１４    吸入弁
１５    弾性部材
１６    ピストンガイド
１７    ピストン
１８    ステム
１９    ポンプリング（上端部材）
２０    ノズルヘッド
２１    嵌め合い部
２１ａ  平面（六角面）
２１ｂ  縦リブ
２１ｃ  縦溝
２２    スリーブ部材
２３    張り出し部
２４    シール部材
５０    容器
５１    口部
Ｃ      抜け止め部
Ｓ１    回り止め部
Ｓ２    回り止め部
Ｔ１    工具
Ｔ２    工具
【図１】
0005918002.tif 000002
【図２】
0005918002.tif 000003
【図３】
0005918002.tif 000004
【図４】
0005918002.tif 000005
【図５】
0005918002.tif 000006